(57)【要約】【課題】  パスワード以上にセキュリティレベルを高める。【解決手段】  ２行３列からなる複数領域１−１〜２−３を液晶モニタに表示させ（ステップＳ３０１）、複数領域１−１〜２−３のいずれかが選択されたか否かを判断し（ステップＳ３０２）、選択された場合には、複数の画像ａ，ｂ，ｃ・・・のいずれかを選択させる（ステップＳ３０７）。いずれかの画像が選択されたならば、ロック設定テーブルの選択された領域に対応する画像ファイル名領域に画像ファイル名を記憶させる（ステップＳ３０８）。したがって、ステップ３０３からの処理が例えば３回行われると、領域１−１に画像ａが、領域１−３に画像ｂが、領域２−３に画像ｃがそれぞれ設定される。そして、ロック解除時にも同様の処理を行い、ロック設定時とロック解除時の領域と画像との関係が完全に一致した場合、ロック解除する。【選択図】      図９
2006101046.tif 000002
【特許請求の範囲】
【請求項１】
画像を撮像する撮像手段と、
この撮像手段により撮像された画像を記憶する画像記憶手段と、
表示手段と、
ロック設定時において、前記表示手段に複数の領域を表示させる第１の表示制御手段と、
この第１の表示制御手段により前記表示手段に表示された複数の領域のいずれかを選択する領域選択と、この領域選択により選択された領域に当てはめる画像を前記画像記憶手段に記憶されている画像から選択する画像選択とを、前記領域の数内において任意の回数実行する第１の選択手段と、
この第１の選択手段により選択された領域と画像との対応関係を記憶する対応関係記憶手段と、
所定処理の実行を許容するに際して、前記表示手段に前記複数の領域を表示させる第２の表示制御手段と、
この第２の表示制御手段により前記表示手段に表示された複数の領域のいずれかを選択する領域選択と、この領域選択により選択された領域に当てはめる画像を前記画像記憶手段に記憶されている画像から選択する画像選択とを実行する第２の選択手段と、
この第２の選択手段により選択された領域と画像との対応関係と、前記対応関係記憶手段に記憶されている領域と画像との対応関係とを比較する比較手段と、
この比較手段の比較の結果、前記第２の選択手段により選択された領域と画像との対応関係と、前記対応関係記憶手段に記憶されている領域と画像との対応関係が全て一致した場合、前記所定処理の実行を許容するロック解除手段と
を備えることを特徴とするデジタルカメラ。
【請求項２】
前記第１及び第２の選択手段は、前記領域選択と前記画像選択とを前記領域の数よりも少ない回数実行することを特徴とする請求項１記載のデジタルカメラ。
【請求項３】
前記第１及び第２の選択手段は、前記画像選択において異なる領域に対し同一の画像を選択することが可能であることを特徴とする請求項１又は２記載のデジタルカメラ。
【請求項４】
前記画像記憶手段に記憶されている画像の中から任意の画像を選択する第３の選択手段を更に備え、
前記第１及び第２の選択手段は、前記第３の選択手段により選択された画像の中から前記画像を選択することを特徴とする請求項１乃至３のいずれかに記載のデジタルカメラ。
【請求項５】
前記第１及び第２の表示制御手段は、前記各領域に当てはめられた画像を当該領域に表示させることを特徴とする請求項１乃至４の何れかに記載のデジタルカメラ。
【請求項６】
前記第１及び第２の表示制御手段は、前記各領域に画像が当てはめられていない状態においては、各領域に所定の画像を表示させることを特徴とする請求項１乃至５の何れかに記載のデジタルカメラ。
【請求項７】
複数の所定処理のうち任意の所定処理を設定する設定手段を更に備え、
前記第２の表示制御手段、第２の選択手段、比較手段及びロック解除手段は、前記設定手段により設定された処理の実行を許容するに際して動作することを特徴とする請求項１乃至６の何れかに記載のデジタルカメラ。
【請求項８】
前記第１の選択手段により選択された画像の削除を禁止する削除禁止手段を更に備えたことを特徴とする請求項１乃至７の何れかに記載の画像ロック解除処理装置。
【請求項９】
画像を記憶する画像記憶手段と、
表示手段と、
ロック設定時において、前記表示手段に複数の領域を表示させる第１の表示制御手段と、
この第１の表示制御手段により前記表示手段に表示された複数の領域のいずれかを選択する領域選択と、この領域選択により選択された領域に当てはめる画像を前記画像記憶手段に記憶されている画像から選択する画像選択とを、前記領域の数内において任意の回数実行する第１の選択手段と、
この第１の選択手段により選択された領域と画像との対応関係を記憶する対応関係記憶手段と、
所定処理の実行を許容するに際して、前記表示手段に前記複数の領域を表示させる第２の表示制御手段と、
この第２の表示制御手段により前記表示手段に表示された複数の領域のいずれかを選択する領域選択と、この領域選択により選択された領域に当てはめる画像を前記画像記憶手段に記憶されている画像から選択する画像選択とを実行する第２の選択手段と、
この第２の選択手段により選択された領域と画像との対応関係と、前記対応関係記憶手段に記憶されている領域と画像との対応関係とを比較する比較手段と、
この比較手段の比較の結果、前記第２の選択手段により選択された領域と画像との対応関係と、前記対応関係記憶手段に記憶されている領域と画像との対応関係が全て一致した場合、前記所定処理の実行を許容するロック解除手段と
を備えることを特徴とする電子機器。
【請求項１０】
画像を撮像する撮像手段と、この撮像手段により撮像された画像を記憶する画像記憶手段、表示手段とを備えるデジタルカメラにおけるロック設定・解除方法であって、
ロック設定時において、前記表示手段に複数の領域を表示させる第１の表示制御ステップと、
この第１の表示制御ステップにより前記表示手段に表示された複数の領域のいずれかを選択する領域選択と、この領域選択により選択された領域に当てはめる画像を前記画像記憶手段に記憶されている画像から選択する画像選択とを、前記領域の数内において任意の回数実行する第１の選択ステップと、
この第１の選択手段により選択された領域と画像との対応関係を記憶する対応関係記憶ステップと、
所定処理の実行を許容するに際して、前記表示手段に前記複数の領域を表示させる第２の表示制御ステップと、
この第２の表示制御ステップにより前記表示手段に表示された複数の領域のいずれかを選択する領域選択と、この領域選択により選択された領域に当てはめる画像を前記画像記憶手段に記憶されている画像から選択する画像選択とを実行する第２の選択ステップと、  この第２の選択ステップにより選択された領域と画像との対応関係と、前記対応関係記憶手段に記憶されている領域と画像との対応関係とを比較する比較ステップと、
この比較ステップでの比較の結果、前記第２の選択ステップにより選択された領域と画像との対応関係と、前記対応関係記憶ステップで記憶されている領域と画像との対応関係が全て一致した場合、前記所定処理の実行を許容するロック解除ステップと
を含むことを特徴とするデジタルカメラにおけるロック設定・解除方法。
【請求項１１】
画像を撮像する撮像手段と、この撮像手段により撮像された画像を記憶する画像記憶手段と、表示手段とを備えるデジタルカメラが有するコンピュータを、
ロック設定時において、前記表示手段に複数の領域を表示させる第１の表示制御手段と、
この第１の表示制御手段により前記表示手段に表示された複数の領域のいずれかを選択する領域選択と、この領域選択により選択された領域に当てはめる画像を前記画像記憶手段に記憶されている画像から選択する画像選択とを、前記領域の数内において任意の回数実行する第１の選択手段と、
この第１の選択手段により選択された領域と画像との対応関係を記憶する対応関係記憶手段と、
所定処理の実行を許容するに際して、前記表示手段に前記複数の領域を表示させる第２の表示制御手段と、
この第２の表示制御手段により前記表示手段に表示された複数の領域のいずれかを選択する領域選択と、この領域選択により選択された領域に当てはめる画像を前記画像記憶手段に記憶されている画像から選択する画像選択とを実行する第２の選択手段と、
この第２の選択手段により選択された領域と画像との対応関係と、前記対応関係記憶手段に記憶されている領域と画像との対応関係とを比較する比較手段と、
この比較手段の比較の結果、前記第２の選択手段により選択された領域と画像との対応関係と、前記対応関係記憶手段に記憶されている領域と画像との対応関係が全て一致した場合、前記所定処理の実行を許容するロック解除手段と
して機能させることを特徴とするロック設定・解除プログラム。
【発明の詳細な説明】
【技術分野】
【０００１】
本発明は、所定処理を制限するロック機能とこの制限を解除するロック解除機能とを備えたデジタルカメラ及び電子機器、デジタルカメラにおけるロック設定・解除方法並びにロック設定・解除プログラムに関する。
【背景技術】
【０００２】
従来、撮像してメモリに記憶された画像の再生表示を制限するロック機能とこの制限を解除するロック解除機能とを備えたデジタルカメラが公知である。このデジタルカメラは、ロック設定時において予め設定された複数の候補画像をモニターに表示させる。ユーザは、このモニターに表示された複数の候補画像から任意の数の画像、例えば３個の画像を選択すると、これら選択された画像がキー画像として設定されてロック設定が完了する。
【０００３】
また、ロック解除時にも複数の候補画像をモニターに表示させる。ロック解除しようとする者は、このモニターに表示された複数の候補画像からキー画像と思われる画像を選択する。このロック解除時に選択した画像と前記キー画像とが一致するか否かを判定し、一致した場合にはロック解除して、予めロック対象とされたメモリ内のロック対象画像をモニターに表示させることを可能にする。しかし、ロック解除時に選択した画像とキー画像とが一致しない場合には、ロック解除することなく、ロック対象画像のモニター表示を禁止する（例えば、特許文献１参照。）。
【特許文献１】特開２００４−３２５４２号公報
【発明の開示】
【発明が解決しようとする課題】
【０００４】
しかしながら、前述したデジタルカメラのロック設定及び解除機能にあっては、ロック時に設定されたキー画像と、ロック解除時に選択された画像とが一致するか否かを判定することにより、ロック維持又はロック解除を行うようにしている。したがって、そのセキュリティレベルは、数字や記号の順序まで一致性が判定要素となるパスワード以下であり、また、選択された画像の順序までの一致性を判定要素としても、そのセキュリティレベルは文字列であるパスワードレベルと同等にとどまるものであり、セキュリティレベルにおいて満足し得るものではなかった。
【０００５】
本発明は、かかる従来の課題に鑑みてなされたものであり、パスワード以上にセキュリティレベルを高めることのできるデジタルカメラ及び電子機器、デジタルカメラにおけるロック設定・解除方法並びにロック設定・解除プログラムを提供することを目的とする。
【課題を解決するための手段】
【０００６】
前記課題を解決するために請求項１記載の発明に係るデジタルカメラにあっては、画像を撮像する撮像手段と、この撮像手段により撮像された画像を記憶する画像記憶手段と、表示手段と、ロック設定時において、前記表示手段に複数の領域を表示させる第１の表示制御手段と、この第１の表示制御手段により前記表示手段に表示された複数の領域のいずれかを選択する領域選択と、この領域選択により選択された領域に当てはめる画像を前記画像記憶手段に記憶されている画像から選択する画像選択とを、前記領域の数内において任意の回数実行する第１の選択手段と、この第１の選択手段により選択された領域と画像との対応関係を記憶する対応関係記憶手段と、所定処理の実行を許容するに際して、前記表示手段に前記複数の領域を表示させる第２の表示制御手段と、この第２の表示制御手段により前記表示手段に表示された複数の領域のいずれかを選択する領域選択と、この領域選択により選択された領域に当てはめる画像を前記画像記憶手段に記憶されている画像から選択する画像選択とを実行する第２の選択手段と、この第２の選択手段により選択された領域と画像との対応関係と、前記対応関係記憶手段に記憶されている領域と画像との対応関係とを比較する比較手段と、この比較手段の比較の結果、前記第２の選択手段により選択された領域と画像との対応関係と、前記対応関係記憶手段に記憶されている領域と画像との対応関係が全て一致した場合、前記所定処理の実行を許容するロック解除手段とを備える。
【０００７】
したがって、ロック設定時においては、前記領域の数内において選択された任意の領域に選択された任意の画像が当てはめられ、この領域と画像との関係が対応関係記憶手段に記憶される。そして、ロック解除時にも、選択された任意の領域に選択された任意の画像が当てはめられ、このロック解除時において選択された領域と画像との関係と、対応関係記憶手段に記憶されている領域と画像との対応関係とが比較される。そして、両者の領域と画像との対応関係が全て一致した場合、ロック解除となって所定処理の実行が許容される。したがって、ロック解除時の比較において、数字や記号及びその順序の一致性が判定要素となるパスワードに対して、本発明においては配置領域までも判定要素となることにより、従来の画像を用いたセキュリティやパスワードによるセキュリティ以上にセキュリティレベルが高められる。
【０００８】
また、請求項２記載の発明に係るデジタルカメラにあっては、前記第１及び第２の選択手段は、前記領域選択と前記画像選択とを前記領域の数よりも少ない回数実行する。したがって、ロック設定時には画像が当てはめられなかった領域が存在することとなる。このため、領域と画像との関係のみならず画像が当てはめられない領域が存在することにより、領域と画像との間系が複雑化しセキュリティレベルがより高まる。
【０００９】
また、請求項３記載の発明に係るデジタルカメラにあっては、前記第１及び第２の選択手段は、前記画像選択において異なる領域に対し同一の画像を選択することが可能である。したがって、ロック設定時には同一画像が当てはめられた領域が存在することとなる。このため、領域と画像との関係のみならず同一の画像が当てはめらた領域が複数存在することにより、領域と画像との間系が複雑化しセキュリティレベルがより高まる。
【００１０】
また、請求項４記載の発明に係るデジタルカメラにあっては、前記画像記憶手段に記憶されている画像の中から任意の画像を選択する第３の選択手段を更に備え、前記第１及び第２の選択手段は、前記第３の選択手段により選択された画像の中から前記画像を選択する。すなわち、画像記憶手段に記憶されている全ての画像を選択対象とすれば、選択対象となる画像数が増大することによりセキュリティレベルは高まることとなる。しかし、その反面あまりに選択対象となる画像が多いことにより、ロック解除する際に何れの画像がロック設定に用いた画像であるかを識別することができず、本人がロック解除することが不可能となる場合が生ずる。しかし、ロック設定及びロック解除時に選択可能な画像を所定領域の画像に限定すれば、ロック解除が容易となる。よって、ロック解除を容易にしつつ、従来の画像を用いたセキュリティやパスワードによるセキュリティ以上にセキュリティレベルを高めることができる。
【００１１】
また、請求項５記載の発明に係るデジタルカメラにあっては、前記第１及び第２の表示制御手段は、前記各領域に当てはめられた画像を当該領域に表示させる。したがって、ユーザは選択した画像と領域との間系を視認しつつ、容易に領域及び画像の選択を行うことができる。
【００１２】
また、請求項６記載の発明に係るデジタルカメラにあっては、前記第１及び第２の表示制御手段は、前記各領域に画像が当てはめられていない状態においては、各領域に所定の画像を表示させる。したがって、第１及び第２の選択手段の動作に伴って、表示手段において各領域の画像が選択された画像に変化し、選択時における興趣性を発生させることができる。
【００１３】
また、請求項７記載の発明に係るデジタルカメラにあっては、複数の所定処理のうち任意の所定処理を設定する設定手段を更に備え、前記第２の表示制御手段、第２の選択手段、比較手段及びロック解除手段は、前記設定手段により設定された処理の実行を許容するに際して動作する。したがって、ユーザにとって重要な処理のみをロック設定することができ、これにより軽微な処理の実行に際しユーザがロック解除をしなければならない煩雑性を解消することができる。
【００１４】
また、請求項８記載の発明に係るデジタルカメラにあっては、前記第１の選択手段により選択された画像の削除を禁止する削除禁止手段を更に備えている。したがって、ロック設定時に選択された画像の画像記憶手段からの削除が禁止される。これにより、ロック解除処理に必要な画像の誤削除を防止して、予め設定された画像によるロック解除処理機能を確実に発現させることができる。
【００１５】
また、請求項９記載の発明に係る電子機器にあっては、画像を記憶する画像記憶手段と、表示手段と、ロック設定時において、前記表示手段に複数の領域を表示させる第１の表示制御手段と、この第１の表示制御手段により前記表示手段に表示された複数の領域のいずれかを選択する領域選択と、この領域選択により選択された領域に当てはめる画像を前記画像記憶手段に記憶されている画像から選択する画像選択とを、前記領域の数内において任意の回数実行する第１の選択手段と、この第１の選択手段により選択された領域と画像との対応関係を記憶する対応関係記憶手段と、所定処理の実行を許容するに際して、前記表示手段に前記複数の領域を表示させる第２の表示制御手段と、この第２の表示制御手段により前記表示手段に表示された複数の領域のいずれかを選択する領域選択と、この領域選択により選択された領域に当てはめる画像を前記画像記憶手段に記憶されている画像から選択する画像選択とを実行する第２の選択手段と、この第２の選択手段により選択された領域と画像との対応関係と、前記対応関係記憶手段に記憶されている領域と画像との対応関係とを比較する比較手段と、この比較手段の比較の結果、前記第２の選択手段により選択された領域と画像との対応関係と、前記対応関係記憶手段に記憶されている領域と画像との対応関係が全て一致した場合、前記所定処理の実行を許容するロック解除手段とを備える。したがって、ロック解除時の比較において、数字や記号及びその順序の一致性が判定要素となるパスワードに対して、本発明においては配置領域までも判定要素となることにより、従来の画像を用いたセキュリティやパスワードによるセキュリティ以上にセキュリティレベルが高められる。
【００１６】
また、請求項１０記載の発明にあっては、画像を撮像する撮像手段と、この撮像手段により撮像された画像を記憶する画像記憶手段、表示手段とを備えるデジタルカメラにおけるロック設定・解除方法であって、ロック設定時において、前記表示手段に複数の領域を表示させる第１の表示制御ステップと、この第１の表示制御ステップにより前記表示手段に表示された複数の領域のいずれかを選択する領域選択と、この領域選択により選択された領域に当てはめる画像を前記画像記憶手段に記憶されている画像から選択する画像選択とを、前記領域の数内において任意の回数実行する第１の選択ステップと、この第１の選択手段により選択された領域と画像との対応関係を記憶する対応関係記憶ステップと、所定処理の実行を許容するに際して、前記表示手段に前記複数の領域を表示させる第２の表示制御ステップと、この第２の表示制御ステップにより前記表示手段に表示された複数の領域のいずれかを選択する領域選択と、この領域選択により選択された領域に当てはめる画像を前記画像記憶手段に記憶されている画像から選択する画像選択とを実行する第２の選択ステップと、この第２の選択ステップにより選択された領域と画像との対応関係と、前記対応関係記憶手段に記憶されている領域と画像との対応関係とを比較する比較ステップと、この比較ステップでの比較の結果、前記第２の選択ステップにより選択された領域と画像との対応関係と、前記対応関係記憶ステップで記憶されている領域と画像との対応関係が全て一致した場合、前記所定処理の実行を許容するロック解除ステップとを含む。したがって、記載したステップに従って処理を実行することにより、請求項１記載の発明と同様の作用効果を奏する。
【００１７】
また、請求項１１記載の発明に係るロック設定・解除プログラムにあっては、画像を撮像する撮像手段と、この撮像手段により撮像された画像を記憶する画像記憶手段と、表示手段とを備えるデジタルカメラが有するコンピュータを、ロック設定時において、前記表示手段に複数の領域を表示させる第１の表示制御手段と、この第１の表示制御手段により前記表示手段に表示された複数の領域のいずれかを選択する領域選択と、この領域選択により選択された領域に当てはめる画像を前記画像記憶手段に記憶されている画像から選択する画像選択とを、前記領域の数内において任意の回数実行する第１の選択手段と、この第１の選択手段により選択された領域と画像との対応関係を記憶する対応関係記憶手段と、所定処理の実行を許容するに際して、前記表示手段に前記複数の領域を表示させる第２の表示制御手段と、この第２の表示制御手段により前記表示手段に表示された複数の領域のいずれかを選択する領域選択と、この領域選択により選択された領域に当てはめる画像を前記画像記憶手段に記憶されている画像から選択する画像選択とを実行する第２の選択手段と、この第２の選択手段により選択された領域と画像との対応関係と、前記対応関係記憶手段に記憶されている領域と画像との対応関係とを比較する比較手段と、この比較手段の比較の結果、前記第２の選択手段により選択された領域と画像との対応関係と、前記対応関係記憶手段に記憶されている領域と画像との対応関係が全て一致した場合、前記所定処理の実行を許容するロック解除手段として機能させる。したがって、前記コンピュータがこのプログラムに従って処理を実行することにより、請求項１記載の発明と同様の作用効果を奏する。
【発明の効果】
【００１８】
以上説明したように本発明によれば、ロック設定時においては、複数の領域の数内において選択された任意の領域に選択された任意の画像が当てはめられ、この領域と画像との関係が対応関係記憶手段に記憶され、ロック解除時にも、選択された任意の領域に選択された任意の画像が当てはめられ、このロック解除時において選択された領域と画像との関係と、対応関係記憶手段に記憶されている領域と画像との対応関係とが比較され、両者の領域と画像との対応関係が全て一致した場合、ロック解除となって所定処理の実行が許容される。したがって、ロック解除時の比較において、数字や記号及びその順序の一致性が判定要素となるパスワードに対して、本発明においては配置領域までも判定要素となることにより、従来の画像を用いたセキュリティやパスワードによるセキュリティ以上にセキュリティレベルを高めることができる。
【発明を実施するための最良の形態】
【００１９】
以下、本発明の実施の形態を図にしたがって説明する。
【００２０】
図１は、本発明の一実施の形態に係るデジタルカメラがクレードルに装着された状態を示す外観斜視図である。デジタルカメラ１は、クレードル５１に装着されることにより内蔵する充電池への充電が行われ、また、クレードル５１を介して図示しないパーソナルコンピュータ（以下、ＰＣという。）へ画像データの転送が可能となっている。
【００２１】
デジタルカメラ１には、カメラ本体２の上面に電源キー３と、シャッターキー４とが配設され、カメラ本体２の背面に光学ファインダ５、記録（ＲＥＣ）モードと再生（ＰＬＡＹ）モードとを切り換えるモード切換スイッチ６、記録画像や各種の情報を表示するとともに電子ビューファインダとして機能する液晶モニタ７、メニュー画面を表示させるためのメニュー（ＭＥＮＵ）キー８、表示されたメニュー項目の選択や画像のインクリメントに使用するカーソルキー９、確定操作に使用するＳＥＴキー１０、記録された画像の削除に使用するＤＥＬキー１１が配設されている。カーソルキー９は、上下及び左右各部位で押下が可能なキーである。
【００２２】
一方、クレードル５１は、デジタルカメラ１を収容する本体５２の正面側に、デジタルカメラ１において、ＰＣへの画像ファイル等の転送を開始させるＵＳＢボタン５３、及び記録されている画像のスライド表示を開始させるＰＨＯＴＯボタン５４と、画像ファイルの転送中に点灯する第１のＬＥＤ５５、及び充電中に点灯する第２のＬＥＤ５６が配置された構成である。
【００２３】
図２は、デジタルカメラ１の電気的構成の概略を示すブロック図である。デジタルカメラ１は、カメラ本体２の図示しない正面側に配置された撮影レンズ４０の光軸後方に配置された撮像素子であるＣＣＤ４１を備えている。ＣＣＤ４１は、タイミング発生器（ＴＧ）１２、垂直ドライバ１３によって走査駆動され、一定周期で１画面分の撮像信号を出力する。
【００２４】
ＣＣＤ４１の出力信号は、アナログ信号の状態でＲＧＢの原色成分毎に適宜ゲイン調整された後に、サンプルホールド回路（Ｓ／Ｈ）１４でサンプルホールドされ、Ａ／Ｄ変換器１５でデジタルデータに変換されカラープロセス回路１６に送られる。カラープロセス回路１６は画像補間処理を含むカラープロセス処理により、デジタル値の輝度信号Ｙ及び色差信号Ｃｂ，Ｃｒを生成し、ＤＭＡ（Ｄｉｒｅｃｔ  Ｍｅｍｏｒｙ Ａｃｃｅｓｓ）コントローラ１７に出力する。
【００２５】
ＤＭＡコントローラ１７は輝度信号Ｙ及び色差信号Ｃｂ，Ｃｒを、カラープロセス回路１６からの複合同期信号、メモリ書込みイネーブル信号、及びクロック信号を用いて一度ＤＭＡコントローラ１７内部のバッファに書込み、ＤＲＡＭインタフェース（Ｉ／Ｆ）１８を介してＤＲＡＭ１９にＤＭＡ転送する。制御部２０は、前記輝度及び色差信号データ、つまり画像データのＤＲＡＭ１９へのＤＭＡ転送終了後に、その画像データを、ＤＲＡＭインタフェース１８を介してＤＲＡＭ１９から読み出し、ＶＲＡＭコントローラ２１を介してＶＲＡＭ２２に書き込む。
【００２６】
デジタルビデオエンコーダ２３は、前記画像データを、ＶＲＡＭコントローラ２１を介してＶＲＡＭ２２より定期的に読出し、これらのデータを元にビデオ信号を発生して表示部２４に出力する。表示部２４は、本発明における表示手段であって、前記液晶モニタ７とその駆動回路等により構成され、デジタルビデオエンコーダ２３からのビデオ信号に基づいた表示を行うことで、その時点でＶＲＡＭコントローラ２１から取り込まれている画像情報に基づくスルー画像を液晶モニタ７に表示する。
【００２７】
キー入力部２５は、前述したシャッターキー４〜ＤＥＬキー１１等の各キーを含み、スルー画像が表示されている状態でシャッターキー４が操作されると、撮影開始用のトリガ信号を発生する。
【００２８】
記録モードによる静止画撮影時には、前記トリガ信号に応じて制御部２０がＣＣＤ４１からのＤＲＡＭ１９への経路を停止し、ＤＲＡＭ１９に書き込まれている１フレーム分の画像データを、ＤＲＡＭインタフェース１８を介して読み出し、ＪＰＥＧ回路２６に送る。ＪＰＥＧ回路２６では送られた画像データを圧縮符号化し、圧縮された画像データは制御部２０によって読み出され、静止画ファイルとして不揮発性メモリであるフラッシュメモリ２７に設けられているデータメモリ２７０に記録される。なお、記録モードによる動画撮影時には、ＤＲＡＭ１９からの画像データの読込み、及び画像データの圧縮符号化が連続して行われ、圧縮された複数フレーム分の画像データが、動画ファイルとしてデータメモリ２７０おいて各フォルダに記録される。
【００２９】
データメモリ２７０にフォルダ記録された画像（静止画）ファイルは、再生モードにおいて、前記カーソルキー９等による選択操作に応じてＪＰＥＧ回路２６に読み込まれ、そこで画像データに復号された後、ＶＲＡＭコントローラ２１を介してＶＲＡＭ２２へ送られ、表示部２４で表示される。
【００３０】
ＵＳＢインターフェース３１は、カメラ本体２の底面に設けられているＵＳＢコネクタ３２を介して、データメモリ２７０に記録されている画像ファイル（静止画ファイル）を前記クレードル５１へ出力し、またクレードル５１から供給される直流電源を充電制御部３３へ送る。充電制御部３３は、供給された直流電源の調整を行うとともに、制御部２０の指令に従い図示しない充電池への充電を行う。
【００３１】
また、制御部２０は、主としてＣＰＵ及びその周辺回路と、カレンダ機能を有する内蔵時計から構成されるマイクロコンピュータであり、フラッシュメモリ２７に確保されているプログラム領域に格納されているプログラムに基づき、ＲＡＭ２８を作業領域として動作し、前述した各部の動作を制御する。そして、本実施の形態においては、制御部２０が本発明における第１及び第２の表示制御手段、第１及び第２の選択手段、比較手段、ロック解除手段として機能する。ロック設定テーブル３４は、後述するように、ロック設定時に選択された画像のファイル名が記憶される。
【００３２】
図３は、フラッシュメモリ２７に設けられているデータメモリ２７０の詳細を示す概念図である。このデータメモリ２７０には、図３（Ａ）に示すように、複数のフォルダ２７１・・・が設けられている。これら複数のフォルダにおいて、特定のフォルダは、ロック設定及びロック解除に使用される画像ファイルのみをファイル名とともに格納する専用のセキュリティフォルダ２７５である。各フォルダ２７１、２７５には、同図（Ｂ）（Ｃ）に示すように、レコード番号２７２毎に、画像ファイル名、画像ファイルを各々格納する画像ファイル名領域２７３、画像ファイル領域２７４が設けられている。
なお、図３（Ｃ）に示すように、セキュリティフォルダ２７５のレコード番号「１」には、予めデフォルト画像ＤＰの画像データがファイル名「ｄｐ．ｊｐｇ」とともに記憶されており、また、このデフォルト画像ＤＰはその削除を禁止するプロテクト設定がなされている。
【００３３】
図４は、ロック設定テーブル３４の詳細を示す概念図である。このロック設定テーブル３４には、レコード番号３４２毎に、予め領域番号１−１〜２−３が格納された領域番号領域３４３、後述するロック設定時に画像ファイル名を格納する画像ファイル名領域３４４が設けられている。この画像ファイル名領域３４４には、後述するロック設定処理が実行される前の初期設定状態においては、（Ａ）に示すように、領域番号１−１〜２−３の全てに対応してデフォルト画像の画像ファイル名ｄｐ．ｊｐｇが記憶されている。
【００３４】
図５は、前記ＲＡＭ２８の一部に設けられているロック解除テーブル２８１の構成を示す概念図である。このロック解除テーブル２８１は、図４に示したロック設定テーブル３４と同一の構成であって、予め領域番号１−１〜２−３が格納された領域番号領域２８３、後述するロック解除時に画像ファイル名を格納する画像ファイル名領域２８４が設けられている。この画像ファイル名領域２８４には、前記ロック設定テーブル３４と同様図５（Ａ）に示すように、初期設定状態においては、領域番号１−１〜２−３の全てに対応してデフォルト画像の画像ファイル名ｄｐ．ｊｐｇが記憶されている。
【００３５】
ここで領域番号とは、後述するロック設定時及びロック解除時において液晶モニタ７に表示させる複数の領域を示す番号である。本実施の形態においては、２行３列からなる６個の領域を表示させるものであることから、「１−１」「１−２」・・・のように、各領域番号として行数と列数とを組み合わせた数値を用いている。
なお、本実施の形態においては、ＲＡＭ２８の一部予めロック解除テーブル２８１を設けておくようにしたが、後述するロック解除時にバッファ等にロック解除テーブル２８１を設けるようにしてもよい。
【００３６】
以上の構成に係る本実施の形態において、ユーザはデジタルカメラ１をクレードル５１から取り外して携帯し、撮像に際しては電源キー３をオンした後、モード切換スイッチ６により記録（ＲＥＣ）モードを設定する。そして、前記記録モードで撮影を行った場合には、図３（Ｂ）に示したようにデータメモリ２７０の指定されたフォルダには、レコード番号（ＮＯ．）「１」のように、画像ファイル名「ａａａ．ｊｐｇ」とその画像ファイル「静止画ａ」とが記録されることとなる。また、撮影を繰り返すことにより、画像ファイル名「ｂｂｂ．ｊｐｇ」「ｃｃｃ．ｊｐｇ」とその画像ファイル「静止画ｂ」「静止画ｃ」等が当該フォルダ２７１に記録され、さらに、他のフォルダ２７１にも画像ファイルがファイル名とともに記録されることとなる。
【００３７】
他方、記録モード又は再生モードの状態でユーザがメニューキー８を操作すると、制御部２０は、フラッシュメモリ２７に確保されているプログラム領域に格納されているプログラムに基づき、図６に示すゼネラルフローに従って処理を開始し、ＲＥＣ／ＰＬＡＹ共通画面を液晶モニタ７に表示させる（ステップＳ１０１）。このステップＳ１０１での処理により、液晶モニタ７には図７（Ａ）に示す記録モードメニュー画面又は同図（Ｂ）に示す再生モードメニュー画面が表示される。次に、この両メニュー画面のいずれかから「セキュリティ」が選択されたか否かを判断し（ステップＳ１０２）、「セキュリティ」以外の他の項目が選択された場合には、当該他の項目の処理を実行する（ステップＳ１０３）。
【００３８】
また、「セキュリティ」が選択された場合には、後述するロック解除処理を実行する（ステップＳ１０４）。そして、このロック解除処理によりロック解除されたか否かを判断し（ステップＳ１０５）、ロック解除されなかった場合には、以降の処理を実行することなく、エンドに進む。ロック解除された場合には、セキュリティ選択画面表示処理を実行し、図７（Ｃ）に示す「画像登録」「画像消去」「セキュリティ設定」「セキュリティ項目」からなるセキュリティ選択メニュー画面に遷移する（ステップＳ１０６）。
【００３９】
次に、このセキュリティ選択メニュー画面において、「画像登録」が選択されたか否かを判断し（ステップＳ１０７）、選択されたならば後述する画像登録処理を実行する（ステップＳ１０８）。以下同様にして、「画像消去」が選択されたならば（ステップＳ１０９；ＹＥＳ）、後述する画像消去処理を実行し（ステップＳ１１０）、「セキュリティ設定」が選択されたならば（ステップＳ１１１；ＹＥＳ）、後述するロック設定処理を実行し（ステップＳ１１２）、「セキュリティ項目」が選択されたならば（ステップＳ１１３；ＹＥＳ）、後述するセキュリティ項目選択設定処理を実行する（ステップＳ１１４）。
【００４０】
図８は、図６のゼネラルフローにおけるステップＳ１０８の画像登録処理の詳細を示すフローチャートである。先ず、データメモリ２７０に格納されている複数のフォルダを液晶モニタ７に表示する。このとき、各フォルダに記憶されている先頭の画像を表示する（ステップＳ２０１）。次に、カーソルキー９に対する左部又は右部の押下とＳＥＴキー１０の操作によっていずれかのフォルダが選択されると（ステップＳ２０２；ＹＥＳ）、当該フォルダ内の先頭画像ファイルを再生して画像を液晶モニタ７に全画面表示させる（ステップＳ２０３）。
【００４１】
引き続き、カーソルキー９の上部又は下部が押下されたか否かを判断し（ステップＳ２０４）、操作された場合にはステップＳ２０３に戻り、当該フォルダにおいて操作された方向に対応する次の画像ファイルを再生する。また、カーソルキー９が操作されない場合には、ＳＥＴキー１０が操作されたか否かを判別する（ステップＳ２０５）。ＳＥＴキー１０が操作された場合には、このとき液晶モニタ７に再生表示されている画像を選択する（ステップＳ２０６）。次に、この選択した画像の画像ファイルとファイル名とがセキュリティフォルダ２７５に、既に記憶（登録）されているか否かを判断し（ステップＳ２０７）、記憶されていない場合には、この選択した画像の画像ファイルとファイル名とをセキュリティフォルダ２７５にコピーして記憶させる（ステップＳ２０８）。さらに、シャッターキー４が操作されることにより終了指示があったか否かを判断し（ステップＳ２０８）、終了指示があるまでステップＳ２０１からの処理を繰り返す。したがって、ステップＳ２０１からの処理が複数回繰り返されることにより、図３（Ｃ）に示したように、セキュリティフォルダ２７５には、デフォルト画像の画像ファイル名「ｄｐ．ｊｐｇ」及びデフォルト画像ＤＰの画像ファイル以外に、画像ファイル名「ａａａ．ｊｐｇ」「ｂｂｂ．ｊｐｇ」「ｃｃｃ．ｊｐｇ」及びこれらの画像ａ，ｂ，ｃの画像ファイルが記憶されることとなる。
【００４２】
なお、このセキュリティフォルダ２７５に記憶されている画像からの選択に基づき、後述するロック設定処理及びロック解除処理がなされることから、セキュリティフォルダ２７５に登録した画像の数に比例して、セキュリティレベルが高まることとなる。
【００４３】
図９は、図６のゼネラルフローにおけるステップＳ１１２のロック設定処理の処理手順を示すフローチャートである。先ず、２行３列からなる複数領域１−１〜２−３を液晶モニタ７に表示させ（ステップＳ３０１）、各領域１−１〜２−３にロック設定テーブル３４に記憶されている画像ファイル名に基づく画像を表示させる（ステップＳ３０２）。したがって、このとき図４（Ａ）に示したように、ロック設定テーブル３４の全ての画像ファイル名領域３４４にデフォルト画像ＤＰの画像ファイル名「ｄｐ．ｊｐｇ」が記憶されている初期設定状態であると、図１０（Ａ）に示すように、液晶モニタ７には複数領域１−１〜２−３が表示されるとともに、各領域領域１−１〜２−３内にデフォルト画像ＤＰが表示されることとなる。
【００４４】
次に、カーソルキー９に対する左部又は右部の押下とＳＥＴキー１０の操作によっていずれかの領域が選択されると（ステップＳ３０３；ＹＥＳ）、当該選択された領域に、セキュリティフォルダ２７５に記憶されている先頭の画像ファイル、つまりデフォルト画像の画像ファイルを再生して画像を表示する（ステップＳ３０４）。引き続き、カーソルキー９の上部又は下部が押下されたか否かを判断し（ステップＳ３０５）、操作された場合にはステップＳ３０４に戻って、操作された方向に対応する次の画像ファイルを再生する。
【００４５】
このとき、このデジタルカメラ１において前述したセキュリティ画像登録が行われておらず、セキュリティフォルダ２７５が未だ初期設定状態にあると、セキュリティフォルダ２７５にはデフォルト画像の画像ファイルのみしか記憶されていない。したがって、この場合には、カーソルキー９の上部又は下部を押下しても、ステップＳ３０４で再度デフォルト画像が表示されることとなり、ユーザが選択した領域においてデフォルト画像が表示され続けることとなる。これにより、ユーザに未だセキュリティ画像登録を行っていないことに気付かせることができ、ユーザにこのロック設定処理を終了して、前述のセキュリティ画像登録を行うべきことを促すことができる。
【００４６】
これに対し、既にセキュリティ画像登録が済んでいると、図３（Ｃ）に示したように、セキュリティフォルダ２７５にはデフォルト画像の画像ファイルのみならず、他の画像の画像ファイルもファイル名とともに記憶されている。したがって、セキュリティフォルダ２７５が同図に示した記憶状態となっており、ユーザが領域１−１を選択してカーソルキー９の上部又は下部を操作したとすると、この操作に伴って図１０（Ｂ）に示すように、領域１−１に画像ａが表示されることとなる。
【００４７】
次に、セットキー１０が操作されたか否かを判断し（ステップＳ３０６）、セットキー１０が操作されたならば、この時点で液晶モニタ７の選択された領域に表示されている画像を選択して（ステップＳ３０７）、当該画像のファイル名をロック設定テーブル３４の選択された領域に対応する画像ファイル名領域３４４に上書きする（ステップＳ３０８）。すなわち、ロック設定テーブル３４の画像ファイル名領域３４４には、初期設定状態では図４（Ａ）に示したように、画像ファイル名領域３４４の全てにデフォルト画像ＤＰのファイル名「ｄｐ．ｊｐｇ」が記憶されている。したがって、この状態で、領域１−１が選択されるとともに画像ａが選択されたとすると、図４（Ｂ）に示すように、当該領域１−１に対応する画像ファイル名領域３４４に今回選択された画像のファイル名「ａａａ．ｊｐｇ」を上書きする。
【００４８】
また、既にこのロック設定処理が実行されて、図４（Ｃ）に示すように、選択された領域１−１に対応する画像ファイル名領域３４４に選択された画像のファイル名「ｂｂｂ．ｊｐｇ」が記憶されている場合には、同図（Ｄ）に示すように、当該領域１−１に対応する画像ファイル名領域３４４に今回選択された画像のファイル名「ａａａ．ｊｐｇ」を上書きする。このとき、選択された領域１−１に対応する画像ファイル名領域３４４に記憶されているファイル名と選択された画像のファイル名とが同一である場合、つまり当該領域に再度同一の画像が選択された場合にも上書きする。なお、同じ画像が選択されたか否かを判断し、同じ画像の場合は上書きを行わないようにしてもよい。
【００４９】
次に、この上書きにより、ロック設定テーブル３４において新規に追加されたファイル名、又は削除された画像ファイル名があるか否かを判断する（ステップＳ３０９）。つまり、ロック設定テーブル３４が図４（Ａ）の状態から（Ｂ）の状態に変化した場合、（Ｂ）の状態では、新規ファイル名「ａａａ．ｊｐｇ」が追加されていることから、このステップＳ３０９の判断は「追加」となる。よって、この場合には、ステップＳ３１０に進み、追加となった画像がデフォルト画像であるか否かを判断し、デフォルト画像ではないので、セキュリティフォルダ２７５においてこの追加された新規ファイル名「ａａａ．ｊｐｇ」の画像ファイルａの削除を禁止するプロテクト設定処理を実行する（ステップＳ３１１）。
【００５０】
また、ロック設定テーブル３４が図４（Ｃ）の状態から（Ｄ）の状態に変化した場合、（Ｄ）の状態では、新規ファイル名「ａａａ．ｊｐｇ」が追加されていることから、このステップＳ３０９の判断は「追加」となるとともに、ファイル名「ｂｂｂ．ｊｐｇ」は削除されたことから、ステップＳ３０９の判断は「削除」ともなる。よって、この場合には、ステップＳ３１２に進み、追加となった画像がデフォルト画像であるか否かを判断し、デフォルト画像ではないので、セキュリティフォルダ２７５においてこの追加された新規ファイル名「ａａａ．ｊｐｇ」の画像ファイルａの削除を禁止するプロテクト設定処理を実行するととともに、ステップＳ３１１に進み、セキュリティフォルダ２７５においてこの削除されたファイル名「ｂｂｂ．ｊｐｇ」の画像ファイルｂのプロテクトを解除する処理を実行する。
【００５１】
しかる後に、シャッターキー４が操作されることにより終了指示があったか否かを判断し（ステップＳ３１４）、終了指示があるまでステップＳ３０３からの処理を繰り返す。そして、ステップＳ３０３からの処理が繰り返された際、ユーザが領域を選択した後、選択していない他の領域に表示されているロック設定画像と同一の画像をロック設定画像として選択した場合には、異なる領域に同一の画像が表示されるとともに、ロック設定テーブル３４において、異なる画像ファイル名領域３４４に同一の画像ファイル名が記憶される。
【００５２】
すなわち、図４（Ｅ）に示したように、領域２−２に対応する画像ファイル名領域３４４にデフォルト画像ＤＰのファイル名「ｄｐ．ｊｐｇ」が記憶され、領域２−３に対応する画像ファイル名領域３４４に画像ｃのファイル名「ｃｃｃ．ｊｐｇ」が記憶されている状態で、ユーザが領域２−２を選択するとともに画像ｃをロック設定画像として選択するとステップＳ３０８での処理により、同図（Ｆ）に示すように、領域２−２に対応する画像ファイル名領域３４４にも、領域２−３と同一の画像ｃのファイル名「ｃｃｃ．ｊｐｇ」が記憶されることとなる。これにより、液晶モニタ７は、図１０（Ｃ）に示す表示状態となる。
【００５３】
つまり、極端な例の場合、領域１−１〜２−３の全てに同一の画像を設定することも可能である。
【００５４】
また、このようにロック設定テーブル３４が図４（Ｅ）の状態から（Ｆ）の状態に変化した場合、（Ｅ）の状態で既にファイル名「ｃｃｃ．ｊｐｇ」は存在することから、新規ファイル名の追加ではない。また、（Ｅ）の状態から（Ｆ）の状態に変化した際、領域２−２に対応する「ｄｐ．ｊｐｇ」には「ｃｃｃ．ｊｐｇ」が上書きされたが、（Ｆ）の状態でも他の領域に対応して「ｄｐ．ｊｐｇ」が存在することから、ロック設定テーブル３４からの画像ファイル名の削除もない。よって、この場合にはステップＳ３０９の判断が「なし」となり、前記ステップＳ３１０及びＳ３１１の処理を実行することなく、ステップＳ３１４に進む。そして、シャッターキー４が操作されることにより終了指示があると（ステップＳ３１４；ＹＥＳ）、図６のゼネラルフローにリターンする。
【００５５】
図１１は、図６のゼネラルフローにおけるステップＳ１１０の画像消去処理の処理手順を示すフローチャートである。先ず制御部２０は、前述した図８のフローチャートに基づ
く画像登録処理が既に実行されたか否かを判断する（ステップＳ４０１）。未だ画像登録処理が実行されていなければ、セキュリティフォルダ２７５にはデフォルト画像が記憶されているのみであって、消去対象とすべき画像は記憶されていない。よって、この場合には、液晶モニタ７に「消去対象とすべき画像はありません」等のその旨の表示を行って（ステップＳ４０２）、リターンする。
【００５６】
また、既に画像登録処理が実行済であるならば、セキュリティフォルダ２７５に記憶されている先頭の画像ファイル（デフォルト画像の画像ファイルを除く先頭の画像ファイル）を再生して画像を表示する（ステップＳ４０３）。引き続き、カーソルキー９の上部又は下部が押下されたか否かを判断し（ステップＳ４０４）、操作された場合にはステップＳ４０３に戻って、操作された方向に対応する次の画像ファイルを再生する。引き続き、ＤＥＬキー１１が操作されたか否かを判断し（ステップＳ４０５）、ＤＥＬキー１１が操作されたならば、この時点で液晶モニタ７に表示されている画像がプロテクト設定された画像ファイルの画像であるか否かを判断する（ステップＳ４０６）。プロテクト設定された画像ファイルの画像でない場合には、セキュリティフォルダ２７５において当該画像の画像ファイルを消去する（ステップＳ４０７）。つまり、セキュリティフォルダ２７５内において、プロテクト設定されていない画像ファイルに関しては、自由に削除して記憶されているセキュリティフォルダ内画像の構成を変更することができる。
【００５７】
しかし、ステップＳ４０６での判別の結果、削除対象とされた画像ファイルがプロテクト設定されている場合には、その削除は禁止されることから、前記ステップＳ４０７の処理が行われることなく、「プロテクト設定画像です」、「ロック設定画像です」等のその旨の表示を行う（ステップＳ４０８）。よって、後述するロック解除処理に必要な画像ファイルの誤削除を防止して、予め設定された画像によるロック解除処理機能を確実に発現させることができる。引き続き、シャッターキー４が操作されることにより終了指示があったか否かを判断し（ステップＳ４０９）、終了指示があるまでステップＳ４０３からの処理を繰り返し、終了指示があった時点でリターンする。
【００５８】
なお、この図１１に示したフローチャートにおいては、プロテクト設定された画像であっても表示した上で、画像消去を禁止するようにしたが、画像消去モードにおいてはプロテクト設定された画像を表示しないようにして、そのその削除を防止するようにしてもよい。
【００５９】
図１２は、図６のゼネラルフローにおけるステップＳ１１４のセキュリティ項目設定処理の処理手順を示すフローチャートである。先ず、セキュリティ項目画面表示処理を実行して、図１３に示すセキュリティ項目画面を液晶モニタ７に表示させる（ステップＳ５０１）。ここで、セキュリティ項目とは、制御部２０がロック解除を条件とする処理であり、図１３に示した「起動」「プライベートフォルダ」、（画像ファイルの）「消去」、「フォーマット」「リセット」「セキュリティフォルダ」「セキュリティファイル」等であり、このセキュリティ項目は、ＲＡＭ２８に記憶されている。
【００６０】
次に、カーソルキー９の上部又は下部の操作によるセキュリティ項目の選択、及びカーソルキー９の左部又は右部の操作による当該セキュリティ項目の「入／切」の変更があったか否かを判断する（ステップＳ５０２）。変更があったならば、操作に応じて液晶モニタ７における当該セキュリティ項目の「入／切」を変更する（ステップＳ５０３）。さらに、シャッターキー４が操作されることにより終了指示があったか否かを判断し（ステップＳ５０４）、終了指示があるまでステップＳ５０２からの処理を繰り返す。そして、終了指示があると、各セキュリティ項目の「入／切」状態をＲＡＭ２８に記憶して更新する（ステップＳ５０５）。したがって、制御部２０はＲＡＭ２８の記憶内容を参照することにより、いずれのセキュリティ項目がオンとなっているかを判断することができる。
【００６１】
図１４は、図７のメニュー画面に示した項目以外のその他の処理の処理手順を示すフローチャートである。制御部２０は、処理を実行するに際して、前述のようにＲＡＭ２８の記憶内容を参照することにより、当該処理がセキュリティ項目として設定（オン）されているか否かを判断する（ステップＳ６０１）。セキュリティ項目として設定されていなければ、ステップＳ６０４に進み当該処理を実行する。よって、セキュリティ項目として設定されていない処理に関しては、何ら制限なく実行される。
【００６２】
しかし、例えば図１３において「セキュリティフォルダ」がオンとなってセキュリティ項目として設定されている場合には、後述するロック解除処理を実行する（ステップＳ６０２）。そして、このロック解除処理によりロック解除があったか否かを判断し（ステップＳ６０３）、ロック解除があった場合にのみ当該処理を実行する（ステップＳ６０４）。したがって、セキュリティ項目として設定されている処理については、ロック解除を条件として実行されることとなる。
【００６３】
図１５は、図６のゼネラルフローにおけるステップＳ１０４及び図１４のその他の処理フローにおけるステップＳ６０２のロック解除処理の処理手順を示すフローチャートである。先ず、２行３列からなる複数領域１−１〜２−３を液晶モニタ７に表示させ（ステップＳ７０１）、各領域１−１〜２−３にデフォルト画像を表示させる（ステップＳ７０２）。したがって、このステップＳ７０１及びＳ７０２での処理により、図１０（Ａ）に示すように、液晶モニタ７には複数領域１−１〜２−３が表示されるとともに、各領域領域１−１〜２−３内にデフォルト画像ＤＰが表示される。
【００６４】
次に、カーソルキー９に対する左部又は右部の押下とＳＥＴキー１０の操作によっていずれかの領域が選択されると（ステップＳ７０３；ＹＥＳ）、当該選択された領域に、セキュリティフォルダ２７５に記憶されている先頭の画像ファイル、つまりデフォルト画像の画像ファイルを再生して画像を表示する（ステップＳ７０４）。引き続き、カーソルキー９の上部又は下部が押下されたか否かを判断し（ステップＳ７０５）、操作された場合にはステップＳ７０４に戻って、操作された方向に対応する次のセキュリティフォルダ２７５内画像ファイルを再生する。
【００６５】
このとき、前述のロック設定処理時と同様に、このデジタルカメラ１において前述したセキュリティ画像登録が行われておらず、セキュリティフォルダ２７５が未だ初期設定状態にあると、セキュリティフォルダ２７５にはデフォルト画像の画像ファイルのみしか記憶されていない。したがって、この場合には、カーソルキー９の上部又は下部を押下しても、ステップＳ７０４で再度デフォルト画像が表示されることとなり、ユーザが選択した領域においてデフォルト画像が表示され続けることとなる。
【００６６】
これに対し、既にセキュリティ画像登録が済んでいると、図３（Ｃ）に示したように、セキュリティフォルダ２７５にはデフォルト画像の画像ファイルのみならず、他の画像の画像ファイルもファイル名とともに記憶されている。したがって、セキュリティフォルダ２７５が同図に示した記憶状態となっており、ユーザが領域１−１を選択してカーソルキー９の上部又は下部を操作したとすると、この操作に伴って図１０（Ｂ）に示すように、領域１−１に画像ａが表示されることとなる。
【００６７】
次に、セットキー１０が操作されたか否かを判断し（ステップＳ７０６）、セットキー１０が操作されたならば、この時点で液晶モニタ７の選択された領域に表示されている画像を選択して（ステップＳ７０７）、当該画像のファイル名をロック解除テーブル２８１の選択された領域に対応する画像ファイル名領域２８４に上書きする（ステップＳ７０８）。すなわち、ロック解除テーブル２８１の画像ファイル名領域２８４には、初期設定状態では図５（Ａ）に示したように、画像ファイル名領域２８４の全てにデフォルト画像ＤＰのファイル名「ｄｐ．ｊｐｇ」が記憶されている。したがって、この状態で、領域１−１が選択されるとともに画像ａが選択されたとすると、図５（Ｂ）に示すように、当該領域１−１に対応する画像ファイル名領域２８４に今回選択された画像のファイル名「ａａａ．ｊｐｇ」を上書きする。
【００６８】
次に、シャッターキー４が操作されることにより終了指示があったか否かを判断し（ステップＳ７０９）、終了指示があるまでステップＳ７０３からの処理を繰り返す。そして、終了指示がなされると、「ロック設定テーブル３４＝ロック解除テーブル２８１」であるか否か、つまりロック設定テーブル３４の記憶内容とロック解除テーブル２８１の記憶内容とが完全に一致するか否かを判断する（ステップＳ７１０）。両者が完全に一致する場合には、ロック解除を行い（ステップＳ７１１）、一部でも不一致である場合にはロック解除を行うことなく、液晶モニタ７にてエラー表示を行う（ステップＳ７１２）。
【００６９】
すなわち、ステップＳ７０４からの処理が例えば４回行われ、ユーザが領域１−１と画像ａ、領域１−３と画像ｂ、領域２−２と画像ｃ、領域２−３と画像ｃを選択したとすると、図５（Ｂ）に示すように、ロック解除テーブル２８１において、レコード番号「１」の領域番号１−１に対応する画像ファイル名領域２８４に画像ａのファイル名「ａａａ．ｊｐｇ」が記憶され、レコード番号「３」の領域番号１−３に対応する画像ファイル名領域２８４に画像ｂのファイル名「ｂｂｂ．ｊｐｇ」が記憶され、レコード番号「５」「６」の領域番号２−２、２−３に対応する画像ファイル名領域２８４に画像ｃのファイル名「ｃｃｃ．ｊｐｇ」が各々記憶されることとなる。このとき、ロック設定テーブル３４が図４（Ｆ）の記憶状態にあると、「ロック設定テーブル３４＝ロック解除テーブル２８１」（図４（Ｆ）＝図５（Ｂ））となって、両者の記憶内容が完全に一致して、ロック解除がなされる。つまり、ロック解除時において、液晶モニタ７の表示状態がロック設定時の終了時画面である図１０（Ｃ）と同一画面となると、ロック解除がなされることとなる。  しかし、ロック解除テーブル２８１において、例えばレコード番号「５」の領域番号２−２に対応する画像ファイル名領域２８４に他の画像ファイル名が記憶されていたり、デフォルト画像のファイル名が記憶されている場合には、他が正しくても、つまり領域番号１−１に対応する画像ファイル名領域２８４にファイル名「ａａａ．ｊｐｇ」が記憶され、１−３に対応する画像ファイル名領域２８４にファイル名「ｂｂｂ．ｊｐｇ」が記憶され、レコード番号「６」の領域番号２−３に対応する画像ファイル名領域２８４にファイル名「ｃｃｃ．ｊｐｇ」が記憶されていたとしても、「ロック設定テーブル３４≠ロック解除テーブル２８１」となって、両者の記憶内容が完全に一致せず、ロック解除がなされることとはない。
【００７０】
したがって、ロック解除において、数字や記号及びその順序の一致性が判定要素となるパスワードに対して、本実施の形態においては配置領域までも判定要素となることにより、従来の画像を用いたセキュリティやパスワードによるセキュリティ以上にセキュリティレベルを高めることができる。
【００７１】
そして、前記ステップＳ７１１でロック解除がなされると、前述した図６のフローにおけるステップＳ１０５の判断がＹＥＳとなって、ロック設定やその他の処理が可能となる。また、ロック解除がなされない場合には、ステップＳ１０５の判断がＮＯとなって、ロック設定やその他の処理が不可能となる。
【００７２】
そして、このようにロック解除又はエラー表示を行ったならば、ロック解除テーブル２８１を、図５（Ａ）に示す初期設定状態にして、領域番号１−１〜２−３の全てに対応してデフォルト画像の画像ファイル名ｄｐ．ｊｐｇを書き込み（ステップＳ７１３）、リターンする。したがって、ロック解除を行った際のデータがロック解除テーブル２８１に残存することはなく、これによってもセキュリティを確保することができる。
【００７３】
なお、前述のように、ロック設定テーブル３４には初期設定状態において図４（Ａ）に示すように、領域番号１−１〜２−３の全てに対応してデフォルト画像の画像ファイル名ｄｐ．ｊｐｇが記憶されおり、また、ロック解除テーブル２８１にも初期設定状態においては図５（Ａ）に示すように、領域番号１−１〜２−３の全てに対応してデフォルト画像の画像ファイル名ｄｐ．ｊｐｇが記憶されている。したがって、ユーザがこのデジタルカメラ１を購入直後、ロック設定処理が行われる前にステップＳ１０４のロック解除処理が実行された際には、単にシャッターキー４を操作して終了指示を行うと（ステップＳ７０９；ＹＥＳ）、ステップＳ７１０の判断は「ロック設定テーブル３４＝ロック解除テーブル２８１」でＹＥＳとなって、ロック解除となる（ステップＳ７１１）。よって、ユーザがこのデジタルカメラ１を購入直後、ロック設定を行う前であっても、図６のゼネラルフローにおけるステップＳ１０６以降の処理の実行は可能である。
【００７４】
また、本実施の形態においては、図４（Ａ）に示したように、ロック設定処理が実行される前の初期設定状態においては、領域番号１−１〜２−３の全てに対応してデフォルト画像の画像ファイル名ｄｐ．ｊｐｇを記憶させておき、ロック設定処理時において領域番号１−１〜２−３にデフォルト画像を表示させるようにした。しかし、初期設定状態において、領域番号１−１〜２−３の全てに画像ファイル名が記憶させておかないようにし、最初のロック設定処理時において領域番号１−１〜２−３を空白表示させるようにしてもよい。
【００７５】
さらに、本実施の形態においては、本発明をデジタルカメラに適用した場合を示したが、これに限ることなく、画像表示機能及び画像記憶機能を有する各種機器に適用することができる。この場合、ロック設定及び解除に用いる画像は撮像した画像に限らず、ダウンロードした画像、イラストやキャラクター等であってもよい。
【図面の簡単な説明】
【００７６】
【図１】本発明の一実施の形態係るデジタルカメラがクレードルに装着された状態を示す外観斜視図である。
【図２】同デジタルカメラのブロック図である。
【図３】（Ａ）はデータメモリの構成を示す概念図であり、（Ｂ）（Ｃ）はフォルダの構成を示す概念図である。
【図４】ロック設定テーブルの詳細を示す遷移図である。
【図５】ロック解除テーブルの詳細を示す遷移図である。
【図６】ゼネラルフローチャートである。
【図７】画面表示例を示す図である。
【図８】画像登録処理の処理手順を示すフローチャートである。
【図９】ロック設定処理の処理手順を示すフローチャートである。
【図１０】表示遷移図である。
【図１１】画像消去処理の処理手順を示すフローチャートである。
【図１２】セキュリティ項目設定処理の処理手順を示すフローチャートである。
【図１３】画面表示例を示す図である。
【図１４】その他の処理の処理手順を示すフローチャートである。
【図１５】ロック解除処理の処理手順を示すフローチャートである。
【符号の説明】
【００７７】
１    デジタルカメラ
１−１〜２−３    領域
２    カメラ本体
４    シャッターキー
６    モード切換スイッチ
７    液晶モニタ
１０    セットキー
１１    削除キー
２０    制御部
２４    表示部
２５    キー入力部
２６    ＪＰＥＧ回路
２７    フラッシュメモリ
２８    ＲＡＭ
３４    ロック設定テーブル
２７０    データメモリ
２７１    フォルダ
２７２    レコード番号
２７３    画像ファイル名領域
２７４    画像ファイル領域
２７５    セキュリティフォルダ
２８１    ロック解除テーブル
２８３    領域番号領域
２８４    画像ファイル名領域
３４２    レコード番号
３４３    領域番号領域
３４４    画像ファイル名領域
ＤＰ    デフォルト画像
【図１】
2006101046.tif 000003
【図２】
2006101046.tif 000004
【図３】
2006101046.tif 000005
【図４】
2006101046.tif 000006
【図５】
2006101046.tif 000007
【図６】
2006101046.tif 000008
【図７】
2006101046.tif 000009
【図８】
2006101046.tif 000010
【図９】
2006101046.tif 000011
【図１０】
2006101046.tif 000012
【図１１】
2006101046.tif 000013
【図１２】
2006101046.tif 000014
【図１３】
2006101046.tif 000015
【図１４】
2006101046.tif 000016
【図１５】
2006101046.tif 000017